【手続補正書】
【提出日】平成18年7月5日(2006.7.5)
【手続補正１】
【補正対象書類名】特許請求の範囲
【補正対象項目名】全文
【補正方法】変更
【補正の内容】
【特許請求の範囲】
【請求項１】
撮影した動画データを記録媒体に記録する動画像記録装置において、
前記記録媒体のフォーマット状態を検知するフォーマット状態検知手段と、
前記フォーマット状態検知手段によって検知された前記記録媒体のフォーマット状態が前記動画データの記録に最適かを判断する判断手段と、記判断手段によって前記記録媒体のフォーマット状態が前記動画データの記録に不適であると判断された場合には、前記記録媒体に既に記録されている既存データを検知する既存データ検知手段と、
前記既存データをメモリに一時的に保存する既存データ退避手段と、
前記記録媒体を動画データの記録に最適なフォーマット形式にフォーマットするフォーマット手段と、
前記メモリに退避された前記既存データを前記フォーマット手段によってフォーマットした後の前記記録媒体に復元する退避データ復元手段とを備えることを特徴とする動画像記録装置。
【請求項２】
前記フォーマット状態検知手段は、シャッタボタンが操作されて撮影が開始された後に、前記記録媒体のフォーマット状態の検知処理を開始することを特徴とする請求項１記載の動画像記録装置。
【請求項３】
入力された動画データを記録媒体に記録する画像情報処理装置において、
前記記録媒体のフォーマット状態を検知するフォーマット状態検知手段と、
前記フォーマット状態検知手段によって検知された前記記録媒体のフォーマット状態が前記動画データの記録に最適かを判断する判断手段と、
前記判断手段によって前記記録媒体のフォーマット状態が前記動画データの記録に不適であると判断された場合には、前記記録媒体に既に記録されている既存データを検知する既存データ検知手段と、
前記既存データをメモリに一時的に保存する既存データ退避手段と、
前記記録媒体を動画データの記録に最適なフォーマット形式にフォーマットするフォーマット手段と、
前記メモリに退避された前記既存データを前記フォーマット手段によってフォーマットした後の前記記録媒体に復元する退避データ復元手段とを備えることを特徴とする画像情報処理装置。
【請求項４】
前記フォーマット状態検知手段は、シャッタボタンが操作されて撮影が開始された後に、前記記録媒体のフォーマット状態の検知処理を開始することを特徴とする請求項３記載の画像情報処理装置。
【請求項５】
第１の記録媒体から前記動画データを読み出して、第２の記録媒体に前記動画データを記録する場合、前記フォーマット手段によって前記第２の記録媒体を前記最適なフォーマット形式にフォーマットした後、前記第２の記録媒体に記録されていた前記退避データ、及び前記第１の記録媒体に記録されている前記動画データを前記第２の記録媒体に記録することを特徴とする請求項３または４記載の画像情報処理装置。
【請求項６】
動画データを記録媒体に記録する画像情報処理方法において、
前記記録媒体のフォーマット状態を検知するフォーマット状態検知ステップと、
前記フォーマット状態検知ステップによって検知された前記記録媒体のフォーマット状態が前記動画データの記録に最適かを判断する判断ステップと、
前記判断ステップによって前記記録媒体のフォーマット状態が前記動画データの記録に不適であると判断された場合には、前記記録媒体に既に記録されている既存データを検知する既存データ検知ステップと、
前記既存データ検知ステップにて検知された前記既存データをメモリに一時的に保存する既存データ退避ステップと、
前記記録媒体を動画データの記録に最適なフォーマット形式にフォーマットするフォーマットステップと、
前記内部メモリに退避された前記既存データを前記フォーマットステップによってフォーマットした後の前記記録媒体に復元する退避データ復元ステップとを含むことを特徴とする画像情報処理方法。
【手続補正２】
【補正対象書類名】明細書
【補正対象項目名】発明の名称
【補正方法】変更
【補正の内容】
【発明の名称】動画像記録装置、画像情報処理装置及び方法
【手続補正３】
【補正対象書類名】明細書
【補正対象項目名】０００６
【補正方法】変更
【補正の内容】
【０００６】
本発明はこのような問題点に鑑みてなされたものであり、異なったフォーマット形式でフォーマットされた記録媒体を用いた場合でも、途中で停止することなく撮影やデータ記録処理を行うことができるようにした動画像記録装置、画像情報処理装置及び方法を提供することを目的とする。
【手続補正４】
【補正対象書類名】明細書
【補正対象項目名】０００７
【補正方法】変更
【補正の内容】
【０００７】
上記目的を達成するにあたり、本発明の動画像記録装置あるいは画像情報処理装置は、動画データの記録に用いられる記録媒体のフォーマット状態を検知するフォーマット状態検知手段と、検知された記録媒体のフォーマット状態が動画データの記録に好適であるか否かを判断する判断手段と、この判断手段によって記録媒体のフォーマット状態が動画データの記録に不適であると判断された場合には、記録媒体に既に記録されている既存データを検知する既存データ検知手段と、既存データをメモリに一時的に保存する既存データ退避手段と、記録媒体を動画データの記録に最適なフォーマット形式にフォーマットするフォーマット手段と、メモリに退避された既存データをフォーマット手段によってフォーマットした後の記録媒体に復元する退避データ復元手段とを備えることを特徴とするものである。
また、動画像記録装置あるいは画像情報処理装置において、フォーマット状態検知手段は、シャッタボタンが操作されて撮影が開始された後に、記録媒体のフォーマット状態の検知処理を開始することが好ましい。
さらに、画像情報処理装置において、第１の記録媒体から前記動画データを読み出して、第２の記録媒体に動画データを記録する場合、フォーマット手段によって第２の記録媒体を最適なフォーマット形式にフォーマットした後、第２の記録媒体に記録されていた退避データ、及び第１の記録媒体に記録されている動画データを第２の記録媒体に記録することが好ましい。
また、本発明の画像情報処理方法は、動画データを記録媒体に記録する画像情報処理方法であり、記録媒体のフォーマット状態を検知するフォーマット状態検知ステップと、フォーマット状態検知ステップによって検知された記録媒体のフォーマット状態が動画データの記録に最適かを判断する判断ステップと、判断ステップによって記録媒体のフォーマット状態が動画データの記録に不適であると判断された場合には、記録媒体に既に記録されている既存データを検知する既存データ検知ステップと、既存データ検知ステップにて検知された既存データをメモリに一時的に保存する既存データ退避ステップと、記録媒体を動画データの記録に最適なフォーマット形式にフォーマットするフォーマットステップと、内部メモリに退避された前記既存データを前記フォーマットステップによってフォーマットした後の記録媒体に復元する退避データ復元ステップとを含むことを特徴とするものである。
【手続補正５】
【補正対象書類名】明細書
【補正対象項目名】０００９
【補正方法】変更
【補正の内容】
【０００９】
図１は、本発明の動画像記録装置を搭載したデジタルカメラ１０のブロック図である。デジタルカメラ１０はＣＣＤイメージャ１２を備えており、被写体光はＣＣＤイメージャ１２の前面に装着された色フィルタを透過してＣＣＤイメージャ１２に照射される。モード切替えスイッチ１４によりデジタルカメラ１０をカメラモードに設定すると、システムコントローラ１６から制御信号１８が発せられ、タイミングジェネレータ（ＴＧ）２０はシグナルジェネレータ（ＳＧ）２２から出力される信号に基づいてタイミング信号を生成する。このタイミング信号はＣＣＤイメージャ１２をプログレッシブスキャン方式で駆動して、ＣＣＤイメージャ１２に１／１５秒毎に１フレーム分のカメラ信号を出力させる。出力されたカメラ信号は、ＣＤＳ／ＡＧＣ回路２４でノイズ除去及びレベル調整を施され、その後Ａ／Ｄ変換器２６によってデジタルの画像データに変換される。信号処理回路２８は、Ａ／Ｄ変換器２６から出力された画像データにＹＵＶ変換を施し、ＹＵＶデータを生成する。このＹＵＶデータもまた、１／１５秒毎に１フレーム分が生成される。
【手続補正６】
【補正対象書類名】明細書
【補正対象項目名】００１５
【補正方法】変更
【補正の内容】
【００１５】
次に、画像情報処理方法の実施例について説明する。図３に、記録処理の処理フローを示す。シャッタボタン４０の押下に伴って発生される制御信号１８を受けて、ＣＰＵ４２は記録媒体制御回路６８に記録媒体４４のフォーマット状態を検知するよう命令を与える。これを受けて記録媒体制御回路６８は、ステップＳ１００において記録媒体４４のフォーマット状態を検知し、検知した情報をＣＰＵ４２に与える。ＣＰＵ４２はステップＳ１０２で、検知されたフォーマット形式がＰＣ等によって実行された汎用のフォーマット形式であるか、それともデジタルカメラによってフォーマットされた高速の記録速度に対応したフォーマット形式であるかを判別する。